(57)【要約】【課題】寒冷地で長時間消灯されたままであっても、円滑に再点灯するエレベータのかご内照明装置を得る。【解決手段】かご内を照明する照明灯２の温度が所定の低温値以下になると作動する低温センサ３を設け、所定の条件に基いて照明灯２が消灯しているときに、低温センサ３が作動すると照明灯２を点灯させて所定の低温値以上に保温するようにしたものである。これにより、寒冷時であっても照明灯２を正常に点灯させることができるようにしたものである。【選択図】        図２
2004196491.tif 000002
【特許請求の範囲】
【請求項１】
所定の条件で照明灯を点滅させるかご内照明装置において、上記照明灯の温度が所定の低温値以下になると作動する低温センサを設け、上記条件に基いて上記照明灯が消灯しているときに、上記低温センサが作動すると上記照明灯を点灯させて温度の低下を阻止する保温器を設けたことを特徴とするエレベータのかご内照明装置。
【請求項２】
所定の条件で照明灯を点滅させるかご内照明装置において、上記照明灯の温度が所定の低温値以下になると作動する低温センサと、上記照明灯が所定の高温値以上になると作動する高温センサとを設け、上記条件に基いて上記照明灯が消灯しているときに、上記低温センサが作動すると上記照明灯を点灯させ、上記高温センサが作動すると消灯させて上記照明灯の温度を所定の範囲内に保持する保温器を備えたことを特徴とするエレベータのかご内照明装置。
【請求項３】
保温器を、照明灯の点灯に替えて、インピーダンス素子を介して上記照明灯に通電して温度低下を阻止するものとした請求項１又は請求項２に記載のエレベータのかご内照明装置。
【発明の詳細な説明】
【０００１】
【発明の属する技術分野】
この発明は、低温下でのエレベータのかご内照明灯の点灯不良を防ぐ装置に関するものである。
【０００２】
【従来の技術】
従来のエレベータのかご内照明装置として、例えば、実開平６−１６３６０号公報に開示されたものがあり、かごに乗客がいなくなると消灯するようになっている。
図５は、上記公報のものと同種のエレベータのかご内照明装置の電気回路図である。かご内照明スイッチ８は、かご操作盤に設けられ、常時閉成されている。乗客がエレベータを利用しなくなった状態、即ち、かご呼び及び乗場呼びがなくなってかご呼び検出接点４及び乗場呼び検出接点５が共に開放され、更に戸が閉じて戸開検出接点６が開放されると、照明灯点滅リレー７が消勢され、その出力接点である点滅接点７ａが、所定時間後に開放されて照明灯２が消灯する。
また、かごがエレベータを利用する状態、即ち、かご呼び若しくは乗場呼びが登録されて、かご呼び検出接点４若しくは乗場呼び検出接点５が閉成されるか、又は戸が開いて戸開検出接点６が閉成されると、照明灯点滅リレー７が付勢され、その点滅接点７ａが直ちに閉成される。点滅接点７ａの閉成によって照明灯２が電源２０によって付勢され、再点灯する。つまり、照明灯２が無用に点灯されるのを防止して省エネルギーを図ったものである。
【０００３】
【発明が解決しようとする課題】
従来のエレベータのかご内照明装置は、上記のとおり、乗客がかごを利用しなくなった状態が所定時間継続すると、照明灯２を消灯するようになっていたので、冬期の寒冷地では、消灯が長時間継続して照明灯２が冷え切ってしまうことがあった。このため、照明灯２は、劣化等の異常がないにも拘らず、円滑に再点灯しなかったり、再点灯不能になることがあり、乗客がかごに乗り込んだ時に不快感を与える、という問題があった。
また、照明灯２が点灯不能になると、顧客から修理依頼があり、自動監視システムによって監視されているエレベ―タの場合は、照明灯２の異常発報がなされるため、その都度保守員が対応しなければならない、という問題もあった。
【０００４】
この発明は、上記問題点を解決するためになされたものであり、寒冷地でエレベータが長時間利用されない状態が継続して照明灯が消灯されたままであっても、円滑に再点灯するエレベータのかご内照明装置を提供することを目的とする。
【０００５】
【課題を解決するための手段】
この発明に係る請求項１に記載のエレベータのかご内照明装置は、照明灯の温度が所定の低温値以下になると作動する低温センサを設け、所定の条件に基いて照明灯が消灯しているときに、低温センサが作動すると照明灯を点灯させて温度の低下を阻止するようにしたものである。
【０００６】
この発明に係る請求項２に記載のエレベータのかご内照明装置は、照明灯の温度が所定の低温値以下になると作動する低温センサと、照明灯が所定の高温値以上になると作動する高温センサとを設け、所定の条件に基いて照明灯が消灯しているときに、低温センサが作動すると照明灯を点灯させ、高温センサが作動すると消灯させて照明灯の温度を所定の範囲内に保持させるようにしたものである。
【０００７】
この発明に係る請求項３に記載のエレベータのかご内照明装置は、照明灯の点灯に替えて、インピーダンス素子を介して上記照明灯に通電して温度低下を阻止するようにしたものである。
【０００８】
【発明の実施の形態】
実施の形態１．
図１及び図２は、この発明の実施の形態１を示す。かご天井１には照明灯２が取り付けられており、照明灯２の中央上部の温度を検出するための低温センサ３が、かご天井１に設けられている。この低温センサ３は、照明灯２が冷却されて点灯不良を生じるようになる温度よりも若干高い所定の低温値に設定されている。従って、上記所定の低温値は照明灯２が正常に点灯し得る温度であって、低温センサ３は上記所定の低温値になると作動するものである。
【０００９】
図２において、かご内照明スイッチ８は、かご操作盤（図示しない。）の鍵付きボックス内に設けられていて、常時閉成されている。
かごが乗客に利用されている状態、即ち、かご呼びが登録されてかご呼び検出接点４が閉成されるか、若しくは乗場呼びが登録されて乗場呼び検出接点５が閉成されるか、又は戸が開いて戸開検出接点６が閉成されると、照明灯点滅リレー７が電源２０へ接続されて付勢され、その点滅接点７ａが直ちに閉成される。点滅接点７ａの閉成によって照明灯２が付勢されて点灯する。点灯により照明灯２は暖められるので、低温センサ３の出力である低温センサ接点３ａは開放されている。
【００１０】
また、かご呼びがなくなってかご呼び検出接点４が開放され、かつ、乗場呼びがなくなって乗場呼び検出接点５が開放され、更に戸が閉じて戸開検出接点６が開放されると、照明灯点滅リレー７が消勢する。照明灯点滅リレー７の消勢状態が所定時間継続すると、その出力接点である点滅接点７ａが、時限開放されて照明灯２が消灯する。
寒冷時に消灯状態が長時間継続すると、照明灯２は冷却されて温度が低下する。所定の低温値に達すると、低温センサ３が作動して低温センサ接点３ａが閉成する。この閉成によって照明灯点滅リレー７が付勢されて、点滅接点７ａが閉成し、照明灯２が電源２０に接続される。低温センサ３は照明灯２が点灯不良になる前に作動するので、点滅接点７ａの閉成によって付勢されると、照明灯２は正常に点灯する。
【００１１】
点灯によって照明灯２の温度が上昇すると、低温センサ３は復帰して低温センサ接点３ａは開放される。この時、かご呼び検出接点４、乗場呼び検出接点５及び戸開検出接点６は、いずれも開放されているので、低温センサ接点３ａの開放によって照明灯点滅リレー７は消勢されて点滅接点７ａは時限開放する。この時限開放によって照明灯２は再び消灯する。
以下、照明灯２は点滅を繰り返すことにより所定の低温値以上に保温される。
なお、低温センサ接点３ａと照明点滅リレー７は、低温センサ３が作動すると照明灯２を点灯させて温度を上昇させる保温器として機能するものである。
【００１２】
上記実施の形態１によれば、照明灯２は低温センサ３の作動及び復帰により点滅して所定の低温値以上に保温されるので、寒冷時であっても正常に点灯する。
【００１３】
実施の形態２．
図３は実施の形態２を示す。図１及び図２と同符号は同一部分を示す。この実施の形態２は、低温センサ３と、照明灯２が所定の高温値以上になると作動する高温センサ（低温センサ３と同様に取り付けられるものとし、図示を省いた。）の双方を設けたものである。
実施の形態１と同様に、かご呼び検出接点４が開放され、かつ、乗場呼び検出接点５が開放され、更に戸開検出接点６が開放されると、照明灯点滅リレー７が消勢され、点滅接点７ａが時限開放されて照明灯２が消灯する。
【００１４】
消灯によって照明灯２が冷却されて所定の低温値に達すると、低温センサ３が作動して低温センサ接点３ａが閉成する。この閉成によって保温リレー１０が付勢されて常時開放の保温接点１０ａ及び１０ｂが閉成される。
保温接点１０ａの閉成によって保温リレー１０は高温センサ接点９ａを介して自己保持回路を閉成する。従って、照明灯２の温度が上昇して低温センサ接点３ａが開放されても、保温リレー１０は付勢され続ける。
低温センサ３が作動する所定の低温値では、照明灯２は未だ点灯不良にはなっていないので、保温接点１０ｂの閉成によって照明灯２は正常に点灯する。この点灯によって温度低下が阻止され、正常な点灯状態が維持される。
【００１５】
照明灯２が所定の高温値以上になると高温センサ接点９ａが開放されて保温リレー１０は消勢される。この消勢によって保温接点１０ａが開放されて自己保持回路が開放される。また、保温接点１０ｂも同様に開放されて照明灯２が消灯される。消灯状態は、照明灯２の温度が所定の低温値に達するまで継続され、以下点滅が繰り返えされて照明灯２は所定の低温値と高温値の間の温度に保温される。
なお、保温リレー１０と保温接点１０ｂは、低温センサ３が作動すると高温センサが作動するまで照明灯２を点灯させる保温器として機能するものである。
【００１６】
上記実施の形態２によれば、寒冷時であっても照明灯２は所定の範囲内に保温されるので正常に点灯する。
また、所定の低温値から所定の高温値に達するまで点灯し続けるので、実施の形態１に比べて点滅の頻度を低下させることができ、照明灯２の延命を図ることもできる。
【００１７】
実施の形態３．
図４は、実施の形態３を示し、図３と同符号は同一部分を示す。
この実施の形態３は、実施の形態２において保温接点１０ｂの閉成によって照明灯２を点灯させる替りに、図４に示したとおり、保温接点１０ｂの閉成によって、インピーダンス素子１１を介して照明灯２を付勢するようにしたものである。このため、照明灯２は点灯に至らない程度の小電流で付勢されて温度低下を阻止されるので、所定の低温値と高温値の２値で制御されることに加えて、小電流で付勢するようにしたことにより、照明灯２の更なる延命を図ることができる。
なお、保温リレー１０、保温接点１０ｂ及びインピーダンス素子１１は、低温センサ３が作動すると高温センサが作動するまで照明灯２を小電流で付勢する保温器として機能するものである。
【００１８】
【発明の効果】
この発明は上記のとおり構成されているので、以下の効果を奏する。
この発明に係る請求項１に記載のエレベータのかご内照明装置は、照明灯の温度が所定の低温値以下になると作動する低温センサを設け、所定の条件に基いて照明灯が消灯しているときに、低温センサが作動すると照明灯を点灯させるようにしたものである。
このため、照明灯は点灯によって所定の低温値以上に保温されるので、寒冷時であっても正常に点灯する、という効果を奏する。
【００１９】
この発明に係る請求項２に記載のエレベータのかご内照明装置は、照明灯の温度が所定の低温値以下になると作動する低温センサと、照明灯が所定の高温値以上になると作動する高温センサとを設け、所定の条件に基いて照明灯が消灯しているときに、低温センサが作動すると高温センサが作動するまで照明灯を点灯させるようにしたものである。
このため、寒冷時であっても照明灯は正常に点灯すると共に、所定の低温値から所定の高温値に達するまで点灯し続けるので、点滅の頻度を低下させることができ、照明灯の延命を図ることができる、という効果を奏する。
【００２０】
この発明に係る請求項３に記載のエレベータのかご内照明装置は、照明灯の点灯に替えて、インピーダンス素子を介して上記照明灯に通電して温度低下を阻止するようにしたものである。
このため、照明灯はインピーダンス素子によって制限されて小電流で付勢されるので、照明灯の延命を図ることができる。
【図面の簡単な説明】
【図１】この発明の実施の形態１におけるエレベータのかご内照明装置の低温センサ３の取付位置を示すかご天井の一部断面図。
【図２】この発明の実施の形態１におけるエレベータのかご内照明装置の電気回路接続図。
【図３】この発明の実施の形態２におけるエレベータのかご内照明装置の電気回路接続図。
【図４】この発明の実施の形態３におけるエレベータのかご内照明装置の電気回路接続図。
【図５】従来のエレベータのかご内照明装置の電気回路接続図。
【符号の説明】
１  かご天井、  ２  照明灯、  ３  低温センサ、  ３ａ  低温センサ接点、４  かご呼び検出接点、  ５  乗場呼び検出接点、  ６  戸開検出接点、  ７照明灯点滅リレー、  ７ａ  点滅接点、  ８  かご内照明スイッチ、  ９ａ  高温センサ接点、  １０  保温リレー、  １０ａ  保温接点、  １０ｂ  保温接点、  １１  インピーダンス素子、  ２０  電源。
【図１】
2004196491.tif 000003
【図２】
2004196491.tif 000004
【図３】
2004196491.tif 000005
【図４】
2004196491.tif 000006
【図５】
2004196491.tif 000007